(57)【特許請求の範囲】
【請求項１】
誤り訂正符号の符号化及び変調のなされた送信信号を複数の送信系統に分けて送信し、該送信された信号を複数の受信系統で受信するＭＩＭＯ方式の伝送システムにおいて、
前記複数の受信系統で受信した信号と基準信号点と復号過程からのフィードバック情報とから、送信された信号のビット毎に尤度比（通信路値）を計算する復調手段と、
前記復調手段で算出された通信路値から、前記誤り訂正符号の復号を行う復号手段とを備え、
前記フィードバック情報は、前記復号の過程で得られた受信ビットの確からしさであり、
前記復調手段は、前記フィードバック情報に基づいて前記通信路値を再計算する、
ことを特徴とするＭＩＭＯ方式の伝送システム。
【請求項２】
前記誤り訂正符号は、繰り返し復号が可能であり、
前記復号手段は、前記復調手段が前記フィードバック情報に基づいて再計算した通信路値から、再度復号を行う、
ことを特徴とする請求項１に記載のＭＩＭＯ方式の伝送システム。
【請求項３】
誤り訂正符号の符号化及び変調のなされた送信信号を複数の送信系統に分けて送信し、該送信された信号を複数の受信系統で受信するＭＩＭＯ方式の伝送方法であって、
前記複数の受信系統で受信した信号と基準信号点と復号過程からのフィードバック情報とから、送信された信号のビット毎に尤度比（通信路値）を算出する復調過程と、
前記復調過程で算出された通信路値から、前記誤り訂正符号の復号を行う復号過程とを含み、
前記フィードバック情報は、前記復号の過程で得られた受信ビットの確からしさであり、
前記復調過程は、前記フィードバック情報に基づいて前記通信路値を再計算する、
ことを特徴とするＭＩＭＯ方式の伝送方法。
【請求項４】
前記誤り訂正符号は、繰り返し復号が可能であり、
前記復調過程が前記フィードバック情報に基づいて再計算した通信路値から、再度復号を行う過程を含む、
ことを特徴とする請求項３に記載のＭＩＭＯ方式の伝送方法。
【請求項５】
誤り訂正符号の符号化及び変調のなされた送信信号が複数の送信系統に分けて送信された信号を複数の受信系統で受信する受信装置において、
前記複数の受信系統で受信した信号と基準信号点と復号過程からのフィードバック情報とから、送信された信号のビット毎に尤度比（通信路値）を算出する復調手段と、
前記復調手段で算出された通信路値から、前記誤り訂正符号の復号を行う復号手段とを備え、
前記フィードバック情報は、前記復号の過程で得られた受信ビットの確からしさであり、
前記復調手段は、前記フィードバック情報に基づいて前記通信路値を再計算する、
ことを特徴とする受信装置。
【請求項６】
前記誤り訂正符号は、繰り返し復号が可能であり、
前記復号手段は、前記復調手段が前記フィードバック情報に基づいて再計算した通信路値から、再度復号を行う、
ことを特徴とする請求項５に記載の受信装置。
【発明の詳細な説明】
【技術分野】
【０００１】
本発明は、ＭＩＭＯ（Multiple Input Multiple Output）技術を適用した伝送システム及び方法、受信装置に関する。
【背景技術】
【０００２】
従来、無線伝送の高速化技術の一つとして、ＭＩＭＯ（Multiple Input Multiple Output）と呼ばれる技術が知られている。図９は、従来のＭＩＭＯ方式の無線伝送システムの構成を示すブロック図である。図９の無線伝送システムにおいては、送信アンテナと受信アンテナをそれぞれ２本ずつ用いている。図９に示す送信装置１００において、符号化器１０１は送信情報ビットを誤り訂正符号で符号化し、その符号化データを変調器１０２に出力する。変調器１０２は、その符号化データを所定の変調方式により変調シンボルにマッピングする。ここでは、ＱＰＳＫ（Quadrature Phase Shift Keying, Quadri-Phase Shift Keying）方式を用いるものとして説明する。
【０００３】
変調器１０２出力後の変調シンボルは、シリアル・パラレル変換器（Ｓ／Ｐ）１０３で、２つの送信系統に分けられる。図９の例では、符号化器１０１からの２つの出力ビットｂ０ｂ１に対応する変調シンボル（図１０（１）参照）と、符号化器１０１からの他の２つの出力ビットｂ２ｂ３に対応する変調シンボル（図１０（２）参照）とに分けられて、それぞれの送信系統の送信器１０４に入力される。図１０は、ＱＰＳＫ方式の変調シンボルが取り得る複素平面（ＩＱ平面）上の４つの信号点配置（●印）を示しており、図１０（１）には符号化器１０１からの２つの出力ビットｂ０ｂ１に対応する変調シンボル、図１０（２）には符号化器１０１からの２つの出力ビットｂ２ｂ３に対応する変調シンボルがそれぞれ示されている。各出力ビットｂ０，ｂ１，ｂ２，ｂ３の値に応じて、２つの出力ビットｂ０ｂ１に対応する変調シンボルと、２つの出力ビットｂ２ｂ３に対応する変調シンボルとがそれぞれ選択される。
【０００４】
各送信系統の送信器１０４出力後の信号は、それぞれの送信系統のアンテナ１０５から送信される。
【０００５】
送信装置１００の２本のアンテナ１０５から無線送信された信号は、無線伝送路を介して受信装置２００の２本のアンテナ２０１でそれぞれ無線受信される。その無線伝送路を介した信号伝達は、４つの複素数で表すことができる。送信アンテナｍと受信アンテナｎ間の無線伝送路状態は、「ａｍｎ×ｅｘｐ（ｊθｍｎ）」として表すことができる。図９の例では、４つの無線伝送路状態が存在し、その４つの無線伝送路状態は、パイロット信号等の既知信号を用いた公知の伝送路推定技術によって受信側で知ることができる。
【０００６】
受信装置２００において、各アンテナ２０１で受信された信号は、それぞれの受信系統の受信器２０２に入力される。各受信器２０２から出力された信号Ａ１，Ａ２は、復調・復号器２０３に入力される。
【０００７】
図１１は、従来の復調・復号器２０３の構成を示すブロック図である。図１１において、伝送路推定器２１は、各受信器２０２出力後の信号Ａ１，Ａ２から、各アンテナ２０１ついてのそれぞれの無線伝送路状態を推定する。基準信号作成部２２は、その無線伝送路状態の推定結果から、各アンテナ２０１ついてのそれぞれの基準信号点を作成する。
【０００８】
図１２には、図９に示される１本の受信アンテナ２０１（図１２の例では信号Ａ１に係る受信系統のアンテナ２０１）において、図９の２本の送信アンテナ１０５からそれぞれ送信された２つの変調シンボル（上記した２つの出力ビットｂ０ｂ１に対応する変調シンボルと、２つの出力ビットｂ２ｂ３に対応する変調シンボル）がどのように受信されるのかが示されている。実際には、個々の変調シンボルのベクトル和として受信されるので、各出力ビットｂ０，ｂ１，ｂ２，ｂ３に対応した基準信号点は、図１３に例示されるような配置（●印）となる。基準信号作成部２２は、各アンテナ２０１についての基準信号点に関し、信号空間上の座標とビット配置を作成する。なお、一般には、各受信アンテナ２０１についての無線伝送路状態は異なるので、基準信号点の座標はアンテナ２０１毎に異なる。
【０００９】
受信信号点検出部２３は、各受信器２０２出力後の信号Ａ１，Ａ２から、各アンテナ２０１で受信した信号の受信信号点を基準信号点と同じ信号空間で検出する。図１３中には、信号Ａ１に係る受信系統のアンテナ２０１での受信信号点（×印）が例示されている。
【００１０】
通信路値演算部２４０は、アンテナ２０１毎の受信信号点及び基準信号点の座標から、受信信号点と各基準信号点の二乗距離を算出する。そして、その受信信号点と各基準信号点の二乗距離に基づき、送信装置１００から送信された変調シンボルの確からしさを計算する。そして、その変調シンボルの確からしさの計算結果から通信路値を出力する。復号器２５は、その通信路値に基づき、送信装置１００から送信された変調シンボルを特定し、その特定した変調シンボルを復号する。
【００１１】
上述したＭＩＭＯ方式の無線伝送システムによれば、１つの無線周波数帯域において複数のアンテナを使用し、並行してデータの送受信を行うことにより、効率的に無線伝送速度を上げることができる。
【非特許文献１】G. J. Foschini, "Layered Space-Time Architecture for Wireless Communication in a Fading Environment When Using Multiple Antennas," Bell Labs Technical Journal, Vol. 1, No. 2, Autumn 1996, pp 41-59
【発明の開示】
【発明が解決しようとする課題】
【００１２】
上述したＭＩＭＯ技術は、各種の伝送システムで適用されることが検討されており、その受信品質を改善することが望まれる。
【００１３】
本発明は、このような事情を考慮してなされたもので、その目的は、ＭＩＭＯ技術を適用するとともに受信品質の向上を図ることのできるＭＩＭＯ方式の伝送システム及び方法、受信装置を提供することにある。
【課題を解決するための手段】
【００１４】
上記の課題を解決するために、本発明に係るＭＩＭＯ方式の伝送システムは、誤り訂正符号の符号化及び変調のなされた送信信号を複数の送信系統に分けて送信し、該送信された信号を複数の受信系統で受信するＭＩＭＯ方式の伝送システムにおいて、前記複数の受信系統で受信した信号と基準信号点とから、送信された信号を判定する復調手段と、前記復調手段の判定結果から、前記誤り訂正符号の復号を行う復号手段とを備え、前記復調手段は、前記復号の過程から、前記基準信号点の確からしさを得ることを特徴とする。
【００１５】
本発明に係るＭＩＭＯ方式の伝送システムにおいては、前記誤り訂正符号は、繰り返し復号が可能であり、前記復号手段は、前記復調手段が前記基準信号点の確からしさに基づいて判定した判定結果から、再度復号を行うことを特徴とする。
【００１６】
本発明に係るＭＩＭＯ方式の伝送方法は、誤り訂正符号の符号化及び変調のなされた送信信号を複数の送信系統に分けて送信し、該送信された信号を複数の受信系統で受信するＭＩＭＯ方式の伝送方法であって、前記複数の受信系統で受信した信号と基準信号点とから、送信された信号を判定する復調過程と、前記復調過程の判定結果から、前記誤り訂正符号の復号を行う復号過程とを含み、前記復調過程は、前記復号の過程から、前記基準信号点の確からしさを得ることを特徴とする。
【００１７】
本発明に係るＭＩＭＯ方式の伝送方法においては、前記誤り訂正符号は、繰り返し復号が可能であり、前記復調過程において前記基準信号点の確からしさに基づいて判定した判定結果から、再度復号を行う過程を含むことを特徴とする。
【００１８】
本発明に係る受信装置は、誤り訂正符号の符号化及び変調のなされた送信信号が複数の送信系統に分けて送信された信号を複数の受信系統で受信する受信装置において、前記複数の受信系統で受信した信号と基準信号点とから、送信された信号を判定する復調手段と、前記復調手段の判定結果から、前記誤り訂正符号の復号を行う復号手段とを備え、前記復調手段は、前記復号の過程から、前記基準信号点の確からしさを得ることを特徴とする。
【００１９】
本発明に係る受信装置においては、前記誤り訂正符号は、繰り返し復号が可能であり、前記復号手段は、前記復調手段が前記基準信号点の確からしさに基づいて判定した判定結果から、再度復号を行うことを特徴とする。
【発明の効果】
【００２０】
本発明によれば、ＭＩＭＯ技術を適用した伝送システムを実現するとともに受信品質の向上を図ることができる。
【発明を実施するための最良の形態】
【００２１】
以下、図面を参照し、本発明の一実施形態について説明する。
図１は、本発明の一実施形態に係るＭＩＭＯ方式の無線伝送システムの構成を示すブロック図である。この図１において図９の各部に対応する部分には同一の符号を付け、その説明を省略する。
図１に示すＭＩＭＯ方式の無線伝送システムおいては、本実施形態に係る特徴的な復調・復号器２０を受信装置２００に備えている。以下、本実施形態に係る特徴的な復調・復号器２０の各実施例を順次説明する。
【実施例１】
【００２２】
図２は、本実施形態の実施例１に係る復調・復号器２０の構成を示すブロック図である。この図２において図１１の各部に対応する部分には同一の符号を付け、その説明を省略する。
図２に示す復調・復号器２０においては、復号器２５の復号結果である受信情報ビットを通信路値演算部２４にフィードバックしている。
通信路値演算部２４は、図１１に示す従来の通信路値演算部２４０と同様に、アンテナ２０１毎の受信信号点及び基準信号点の座標から、受信信号点と各基準信号点の二乗距離を算出し、その二乗距離に基づき、送信装置１００から送信された変調シンボルの確からしさを計算し通信路値を出力する。通信路値演算部２４は、その変調シンボルの確からしさの計算過程において、復号器２５からフィードバックされた受信情報ビットを、基準信号点の確からしさの情報として利用する。これにより、受信信号点に対応付ける基準信号点がより正確に求まるので、通信路値の精度が向上する。その結果として復号精度がよくなるので、受信品質が向上する。
【００２３】
次に、実施例１に係る復号器２５の各具体例を説明する。
【００２４】
初めに、図３、図４を参照して、ターボ符号を適用した具体例について説明する。
図３は、図２に示す実施例１に係る復号器２５の具体例としてのターボ復号器２５ａの構成を示すブロック図である。図４は、図３に示すターボ復号器２５ａに対応するターボ符号化器１０１ａの構成を示すブロック図である。
【００２５】
図４に示すターボ符号化器１０１ａは、２つの要素符号器１１０１、１１０２を備え、２つの要素符号によって符号化を行うものである。
図４において、要素符号器１１０１は、送信情報ビットからパリティビットａ１を生成する。インタリーバ１１０３は、入力された送信情報ビットの順番を交錯する。要素符号器１１０２は、インタリーバ１１０３出力後の送信情報ビットからパリティビットａ２を生成する。これにより、同じ送信情報ビットから、パリティビットａ１及びａ２が生成される。但し、要素符号器１１０１と１１０２とでは、送信情報ビットの入力順序は交錯されている。
ターボ符号化器１０１ａは、入力された送信情報ビット、パリティビットａ１及びａ２の合計３ビットを符号化データとして出力する。
【００２６】
図３において、通信路値演算部２４は、アンテナ２０１毎の受信信号点及び基準信号点と、ターボ復号器２５ａからのフィードバック情報とに基づき、変調シンボルのビット毎の軟判定値を軟判定データとして出力する。この軟判定データは、通信路値としてターボ復号器２５ａに入力される。
【００２７】
図３に示すターボ復号器２５ａは、図４に示すターボ符号化器１０１ａに対応する構成となっており、要素符号器１１０１に対応する復号器２１０１と、要素符号器１１０２に対応する復号器２１０２を備える。
【００２８】
図３のターボ復号器２５ａにおいて、まず、復号器２１０１は、送信情報ビット及びパリティビットａ１の両方の通信路値を入力する。また、復号器２１０１で最初に復号処理を行う際には、送信情報ビットの事前値を「１／２」（対数尤度で０）とする。この結果、送信情報ビットの外部値と事後値が計算される。但し、一般にこの段階では、外部値のみが次の処理に用いられる。
【００２９】
復号器２１０１出力後の外部値は、インタリーバ２１０３で交錯された後に、事前値として復号器２１０２に入力される。また、送信情報ビット及びパリティビットａ２の両方の通信路値を復号器２１０２に入力する。ここで、送信情報ビットの通信路値に関しては、復号器２１０１出力後の外部値と同様に、インタリーバ２１０４で交錯された後に復号器２１０２に入力される。復号器２１０２は、復号処理の結果として送信情報ビットの外部値と事後値を出力する。復号器２１０２出力後の事後値は、ビット判定されて、受信データ（受信情報ビット）として出力される。
【００３０】
また、復号器２１０２出力後の事後値は、逆インタリーバ２１１０で逆交錯された後に、通信路値演算部２４に入力される。その通信路値演算部２４に入力されるフィードバック情報は、受信ビットの確からしさを表している。
【００３１】
復号器２１０２出力後の外部値は、逆インタリーバ２１０５で逆交錯された後に、事前値として復号器２１０１に入力される。これにより、再度、復号器２１０１から演算処理が実行される。
【００３２】
なお、上記した図４の例では、ターボ符号化器１０１ａにおいて、パリティビットをそのまま出力しているが、パリティビットをパンクチャしたり、又は、送信情報ビットとパリティビットに対してチャネルインタリーブを施したりする等、各種の変形を行うことは可能であり、ターボ復号器２５ａの構成をその変形に合わせればよい。
【００３３】
次に、図５を参照して、低密度パリティ検査符号（Low-Density Parity-Check Codes；ＬＤＰＣ符号）を適用した具体例について説明する。
【００３４】
図５は、図２に示す復号器２５としてのＬＤＰＣ復号器２５ｂの構成を示すブロック図である。
図５において、通信路値演算部２４は、アンテナ２０１毎の受信信号点及び基準信号点と、ＬＤＰＣ復号器２５ｂからのフィードバック情報とに基づき、変調シンボルのビット毎の軟判定値を軟判定データとして出力する。この軟判定データは、通信路値としてＬＤＰＣ復号器２５ｂに入力される。
【００３５】
ＬＤＰＣ復号器２５ｂは、上記したターボ符号の場合と同様に、事後値を反復計算する。その復号アルゴリズムとしては、Min SumやSum Productが代表的なものである。その反復計算は、復号結果が正しい符号語になるか、あるいは、規定の反復数に到達するまで行う。
【００３６】
ＬＤＰＣ復号器２５ｂにおいて、まず、行方向演算部２２０１は、入力された通信路値に対して行方向演算を行い、事前値（或いは外部値）を出力する。その行方向演算を行う際には、列方向演算部２２０３から入力される外部値（或いは事前値）を参照する。
なお、行方向演算部２２０１は、通信路値演算部２４からの最初の軟判定データ（通信路値）を用いた最初の行方向演算を行うときには、列方向演算部２２０３からの外部値（或いは事前値）としての対数尤度比を初期値「０」とし、通信路値演算部２４によりフィードバック情報（受信データ（受信情報ビット））が反映された２回目以降の軟判定データ（通信路値）を用いた最初の行方向演算においては、直前の列方向演算部２２０３から入力される外部値（或いは事前値）を参照することが好ましい。
符号語推定部２２０２は、通信路値演算部２４出力後の通信路値および行方向演算部２２０１出力後の事前値（或いは外部値）に基づいて符号語推定を行い、事後値を出力する。列方向演算部２２０３は、最大反復数判定部２２１３の判定結果に基づいて行方向演算を行い、外部値（或いは事前値）を出力する。
【００３７】
ビット判定部２２１１は、入力された事後値に基づき、ビット判定を行う。符号検査部２２１２は、そのビット判定の結果から、符号検査の合否を判断する。符号検査が合格の場合には、そのビット判定の結果が受信データ（受信情報ビット）として出力される。一方、符号検査が不合格の場合には、最大反復数判定部２２１３は、ＬＤＰＣ復号器２５ｂにおける反復回数が最大反復数に達したか否かを判断する。最大反復数に達した場合には、今回のビット判定の結果が受信データ（受信情報ビット）として出力される。一方、最大反復数に達していない場合には、ＬＤＰＣ復号器２５ｂに対して、反復を指示する。
【００３８】
ＬＤＰＣ復号器２５ｂ出力後の受信データ（受信情報ビット）は、通信路値演算部２４に入力される。
【００３９】
なお、上記図３、図５の具体例では、誤り訂正符号の例として繰り返し復号が可能なターボ符号、ＬＤＰＣ符号を挙げたが、実施例１に係る復号器２５は繰り返し復号に対応していないものであってもよい。
【実施例２】
【００４０】
図６は、本実施形態の実施例２に係る復調・復号器２０の構成を示すブロック図である。この図６において図１１の各部に対応する部分には同一の符号を付け、その説明を省略する。
図６に示す復調・復号器２０においては、反復復調・復号器３０を備える。反復復調・復号器３０は、図２に示した通信路値演算部２４及び繰り返し復号が可能な復号器２５の双方の機能を有し、復号器２５の繰り返し復号過程で得られた受信ビットの確からしさを用いて通信路値演算を繰り返し行なうことにより、復号精度の一層の向上を図っている。
【００４１】
次に、実施例２に係る反復復調・復号器３０の各具体例を説明する。
【００４２】
初めに、図７を参照して、ターボ符号を適用した具体例について説明する。
図７は、図６に示す実施例２に係る反復復調・復号器３０のターボ符号を適用した具体例の構成を示すブロック図である。この図７において図３の各部に対応する部分には同一の符号を付け、その説明を省略する。
図７においては、通信路値演算部２４を２つ（通信路値演算部２４−１、２４−２）設けている。
図７のターボ復号器２５ａにおいて、復号器２１０２出力後の事後値は、逆インタリーバ２１１０で逆交錯された後に、通信路値演算部２４−１に入力される。その通信路値演算部２４−１に入力されるフィードバック情報は、受信ビットの確からしさを表している。これにより、復号器２１０１からの再度の演算処理の実行時において使用する軟判定データ（通信路値）は、通信路値演算部２４−１によって、受信ビットの確からしさが反映されて更新されたものであり、前回の軟判定データ（通信路値）よりも精度が向上していると期待できる。
【００４３】
また、図７において、通信路値演算部２４−２は、復号器２１０１出力後の事後値（受信ビットの確からしさ）を用いて、復号器２１０２に入力する通信路値を更新する。これにより、復号器２１０１で得られた受信ビットの確からしさを用いて、復号器２１０２へ引き渡す通信路値を更新することができ、復号器２１０２に入力する通信路値の精度向上を図ることが可能となる。
本実施例２のターボ復号処理によれば、誤り訂正の性能が向上し、伝送誤りの一層の防止を図ることが可能となる。
【００４４】
次に、図８を参照して、ＬＤＰＣ符号を適用した具体例について説明する。
図８は、図６に示す実施例２に係る反復復調・復号器３０のＬＤＰＣ符号を適用した具体例の構成を示すブロック図である。この図８において図５の各部に対応する部分には同一の符号を付け、その説明を省略する。
図８においては、ＬＤＰＣ復号器２５ｂの符号語推定部２２０２出力後の事後値を通信路値演算部２４にフィードバックしている。そのフィードバック情報は、受信ビットの確からしさを表している。これにより、通信路値演算部２４からの次回の軟判定データ（通信路値）は、通信路値演算部２４によって、受信ビットの確からしさが反映されて更新されたものであり、前回の軟判定データ（通信路値）よりも精度が向上していると期待できる。これにより、誤り訂正の性能が向上し、伝送誤りの一層の防止を図ることが可能となる。
【００４５】
次に、上記図２，図３，図５，図７，図８に示される本実施形態に係る通信路値演算部２４，２４−１，２４−２（以下、通信路値演算部２４）について説明する。
通信路値演算部２４は、受信信号点と基準信号点から通信路値を算出するときに、復号過程からのフィードバック情報（復号過程で得られた復号結果又は受信ビットの確からしさ）を用いる。以下、図１３に例示されるＱＰＳＫ変調の基準信号点を例にして、復号過程からのフィードバック情報を用いた通信路値算出方法の一例を説明する。
【００４６】
図１３には、図１０に示される４つの送信ビットｂ０，ｂ１，ｂ２，ｂ３（以下、ビットｂ０，ｂ１，ｂ２，ｂ３）の値の各組合せに対応した基準信号点が示されている。ここでは、４つのビットｂ０，ｂ１，ｂ２，ｂ３のうち、ビットｂ０を例として、その通信路値を受信装置２００の通信路値演算部２４で算出する方法を説明する。なお、他のビットｂ１，ｂ２，ｂ３の通信路値についても同様に算出することができる。
【００４７】
ビットｂ０の通信路値は、ビットｂ０の尤度比Ｌｃ（ｂ０）である。ビットｂ０の尤度比Ｌｃ（ｂ０）は、（１）式で計算できる。
【００４８】
【数１】
0004680027.tif 000002
【００４９】
但し、Ｐ（ｂ０，ｂ１，ｂ２，ｂ３）は、各ビットｂ０，ｂ１，ｂ２，ｂ３の値のある組合せに対応する受信シンボルの確からしさであり、基準信号点と受信信号点の間の距離から算出するものである。上記（１）式においては、「ビットｂ０＝０」のときのＰ（０，ｂ１，ｂ２，ｂ３）と、「ビットｂ０＝１」のときのＰ（１，ｂ１，ｂ２，ｂ３）とが用いられる。
【００５０】
また、Ｐａ（ｂ１，ｂ２，ｂ３）は、各ビットｂ１，ｂ２，ｂ３の値のある組合せに対応する変調シンボルの出現確率であり、復号過程からのフィードバック情報に基づいて算出するものである。なお、上記（１）式においては、ビットｂ０の通信路値を求めているので、ビットｂ０に影響されないＰａ（ｂ１，ｂ２，ｂ３）が用いられる。
【００５１】
また、上記（１）式において、分子は、ビットｂ０を除いた他のビットｂ１，ｂ２，ｂ３の各値の全組合せについての「Ｐ（０，ｂ１，ｂ２，ｂ３）とＰａ（ｂ１，ｂ２，ｂ３）の積」の総和である。上記（１）式において、分母は、ビットｂ０を除いた他のビットｂ１，ｂ２，ｂ３の各値の全組合せについての「Ｐ（１，ｂ１，ｂ２，ｂ３）とＰａ（ｂ１，ｂ２，ｂ３）の積」の総和である。
【００５２】
また、最初の通信路値演算（まだ復号を１度も行っていないときの通信路値演算）では、復号過程からのフィードバック情報が得られないので、各受信ビットの確からしさを「１／２」とする。つまり、上記（１）式においては、「Ｐａ（ｂ１，ｂ２，ｂ３）＝１／８」とする。
【００５３】
なお、上記（１）式は、（２）式のように近似することができる。（２）式によっても本発明に係る同様の効果が得られる。
【００５４】
【数２】
0004680027.tif 000003
【００５５】
以上、本発明の実施形態を図面を参照して詳述してきたが、具体的な構成はこの実施形態に限られるものではなく、本発明の要旨を逸脱しない範囲の設計変更等も含まれる。
例えば、上述した実施形態においては、変調方式の一例としてＱＰＳＫ方式を用いたが、本発明はこれに限定するものではない。例えば、他の位相偏移変調（PSK；Phase Shift Keying）方式、或いは直交振幅変調（QAM；Quadrature Amplitude Modulation）方式なども適用可能である。
【００５６】
なお、ＭＩＭＯ技術は、上述した実施形態で例示したような無線伝送システムに限らず、有線伝送システムにも適用可能である。従って、本発明は、無線伝送路、有線伝送路のいずれを用いるものであってもよく、送信信号を複数の送信系統に分けて送信し、該複数の送信系統から送信された信号を受信するＭＩＭＯ方式の伝送システムに適用することができる。
【図面の簡単な説明】
【００５７】
【図１】本発明の一実施形態に係るＭＩＭＯ方式の無線伝送システムの構成を示すブロック図である。
【図２】本発明の実施例１に係る復調・復号器２０の構成を示すブロック図である。
【図３】図２に示す実施例１に係る復号器２５の具体例としてのターボ復号器２５ａの構成を示すブロック図である。
【図４】図３に示すターボ復号器２５ａに対応するターボ符号化器１０１ａの構成を示すブロック図である。
【図５】図２に示す復号器２５としてのＬＤＰＣ復号器２５ｂの構成を示すブロック図である。
【図６】本発明の実施例２に係る復調・復号器２０の構成を示すブロック図である。
【図７】図６に示す実施例２に係る反復復調・復号器３０のターボ符号を適用した具体例の構成を示すブロック図である。
【図８】図６に示す実施例２に係る反復復調・復号器３０のＬＤＰＣ符号を適用した具体例の構成を示すブロック図である。
【図９】従来のＭＩＭＯ方式の無線伝送システムの構成を示すブロック図である。
【図１０】ＱＰＳＫ方式の変調シンボルに係る信号点配置を示す図である。
【図１１】従来の復調・復号器２０３の構成を示すブロック図である。
【図１２】ＭＩＭＯ方式の無線伝送システムにおける受信信号を説明するための図である。
【図１３】ＭＩＭＯ方式の無線伝送システムにおける基準信号点を説明するための図である。
【符号の説明】
【００５８】
２０…復調・復号器、２１…伝送路推定器、２２…基準信号作成部、２３…受信信号点検出部、２４…通信路値演算部、２５…復号器、２５ａ…ターボ復号器、２５ｂ…ＬＤＰＣ復号器、３０…反復復調・復号器、１００…送信装置、１０１…符号化器、１０２…変調器、１０３…シリアル・パラレル変換器（Ｓ／Ｐ）、１０４…送信器、１０５…アンテナ（送信アンテナ）、２００…受信装置、２０１…アンテナ（受信アンテナ）、２０２…受信器
【図１】
0004680027.tif 000004
【図２】
0004680027.tif 000005
【図３】
0004680027.tif 000006
【図４】
0004680027.tif 000007
【図５】
0004680027.tif 000008
【図６】
0004680027.tif 000009
【図７】
0004680027.tif 000010
【図８】
0004680027.tif 000011
【図９】
0004680027.tif 000012
【図１０】
0004680027.tif 000013
【図１１】
0004680027.tif 000014
【図１２】
0004680027.tif 000015
【図１３】
0004680027.tif 000016